(57)【要約】  個別の非言語キューを備える繊維性構造製品、特に単プライ又は多プライ繊維性構造製品、特に単プライ又は多プライ衛生ティッシュ製品及び当該製品を製造するための方法が提供される。
2007511241.tif 000002
【特許請求の範囲】
【請求項１】
個別の非言語キューを備える繊維性構造製品であって、前記繊維性構造製品が乾燥状態にある時、前記個別の非言語キューにより前記繊維性構造製品の特徴が、前記繊維性構造製品の使用者に伝達され、ここで前記繊維性構造製品の特徴が、前記繊維性構造製品中及び／又は前記繊維性構造製品上に存在する成分であり、好ましくは前記成分が、湿潤剤類、ローション、ビタミン類、香料類、薬剤類、治療薬類、ウィルス撲滅剤類、防臭剤類、アロマセラピー剤類、柔軟化剤類及びこれらの混合物からなる群から選択され、より好ましくは、前記成分が、カモミール及び／又はアロエ及び／又はビタミンＥ及び／又は香料を含む、繊維性構造製品。
【請求項２】
前記非言語キューが、視覚的なキュー、嗅覚的なキュー、触感的なキュー、及びこれらの混合物からなる群から選択される、請求項１に記載の繊維性構造製品。
【請求項３】
前記視覚的なキューが、構造体、着色剤、テキスト要素、絵要素、及びこれらの混合物からなる群から選択される、請求項２に記載の繊維性構造製品。
【請求項４】
前記着色剤が、白色でない着色剤からなる群から選択される、請求項３に記載の繊維性構造製品。
【請求項５】
前記非言語キューが、前記成分を含む、請求項１に記載の繊維性構造体。
【請求項６】
前記繊維性構造製品の特徴が、前記繊維性構造製品の使用者が認識可能な特性であり、好ましくは、前記使用者が認識可能な特性は、柔軟性及び／又は洗浄能力及び／又は吸収性及び／又は強度を含む、請求項１〜５のいずれか一項に記載の繊維性構造製品。
【請求項７】
前記繊維性構造製品が、接着剤を含む繊維性構造体からなり、好ましくは、前記接着剤が、前記非言語キューを備える、請求項１〜６のいずれか一項に記載の繊維性構造製品。
【請求項８】
前記繊維性構造体がまた湿った状態にある時、前記非言語キューにより前記繊維性構造製品の特徴が、前記繊維性構造製品の使用者に伝達される、請求項１〜７のいずれか一項に記載の繊維性構造製品。
【請求項９】
前記繊維性構造体が、単プライ又は多プライの衛生ティッシュ製品である、請求項１〜８のいずれか一項に記載の繊維性構造製品。
【請求項１０】
請求項１〜９のいずれか一項に記載の繊維性構造製品と前記繊維性構造製品を収容する外側包装体とを含み、ここで前記外側包装体が、前記繊維性構造製品の個別の非言語キューにより前記繊維性構造製品の使用者とコミュニケートすることができるようになされている、製品。
【発明の詳細な説明】
【技術分野】
【０００１】
本発明は、繊維性構造製品、特に単プライ又は多プライ繊維性構造製品、特に個別の非言語キューを備える単プライ又は多プライ衛生ティッシュ製品及びそれらを製造するための方法に関する。
【背景技術】
【０００２】
繊維性構造製品、特に衛生ティッシュ製品の消費者らには、販売場所で、一般に見た目及び／感触が非常に類似している多種多様な製品が目白押しである。基本的に、このような繊維性構造製品、特に衛生ティッシュ製品の色は白色であり、繊維性構造体は、それら自体に美的特性を有することも、有さないこともある。故に、消費者は、繊維性構造製品の固有の特徴に基づくのではなく、包装及び／又は価格に基づいて購入意志を決定するという難題に直面する。例えば、２つの製品の見た目が非常に類似している場合、消費者は、その２つの製品のうちの１つに存在し得る付加的な特性を知ることなく、高価でない方の製品を購入する場合もある。しかし後になってから、高価でない方の製品が、特徴及び／又は性能の点で他方の製品に類似するものではないことがわかる。
【発明の開示】
【発明が解決しようとする課題】
【０００３】
従って、個別の非言語キューを備える繊維性構造製品であって、当該繊維性製品が、購入時などで、乾燥状態にある時、この個別の非言語キューにより当該繊維性構造製品の特徴が当該繊維性製品の消費者／購入者に伝達される繊維性構造製品の必要性がある。更に、このような繊維性構造製品を製造するための方法に対する必要性がある。
【課題を解決するための手段】
【０００４】
本発明は、非言語キューを備える繊維性構造製品であって、この非言語キューにより当該繊維性構造製品の特徴が使用者に伝達される繊維性構造製品を提供することによって、上述の必要性を満たす。
【０００５】
本明細書の一態様において、個別の非言語キューを備える繊維性構造製品であって、当該繊維性構造製品が乾燥状態にある時、この非言語キューにより当該繊維性構造製品の特徴が使用者に伝達される繊維性構造製品が提供される。
【０００６】
本発明の別の態様において、繊維性構造製品を製造するための方法であって、
ａ）繊維性構造製品の特徴を識別し、使用者に伝達する工程と、
ｂ）工程ａからの識別された特徴を伝達する個別の非言語キューを備える繊維性構造製品を製造する工程とを含む方法が提供される。
【０００７】
本発明の更に別の態様において、本発明による繊維性構造製品と、前記繊維性構造製品を収容する外側包装体とを備える製品であって、この外側包装体が、前記繊維性構造製品の個別の非言語キューにより前記繊維性構造製品の使用者とコミュニケートすることができるようなものである製品が提供される。
【０００８】
本発明の更に別の態様において、使用者を繊維性構造製品に引きつけるための方法であって、当該繊維性構造製品が乾燥状態にある時、当該繊維性構造製品の特徴が使用者に伝達される個別の非言語キューを備える繊維性構造製品を提供する工程を含む方法が提供される。
【０００９】
従って、本発明は、個別の非言語キューを備える繊維性構造製品であって、この個別の非言語キューにより当該繊維性構造製品の特徴が使用者に伝達される繊維性構造製品と、このような繊維性構造製品を製造するための方法と、このような繊維性構造製品を含む製品と、このような繊維性構造製品に使用者を引きつけるための方法とを提供する。
【発明を実施するための最良の形態】
【００１０】
（定義）
「キュー」は、本明細書で使用する時、思い出させるための合図（reminder）及び／又は誘発及び／又はヒント及び／又は示唆、好ましくは思い出させるための合図及び／又は誘発、より好ましくは、ある行為を取る（例えば、繊維性構造製品を購入する）よう誘発することを意味する。
【００１１】
「非言語キュー」は、本明細書で使用する時、聴覚以外の使用者の感覚を通して使用者に伝達するキューを意味する。例えば、視覚（視覚的なキュー）、触覚（触感的なキュー）、嗅覚（嗅覚的なキュー）によるなどの非直接的な感覚による。
【００１２】
「個別の非言語キュー」は、本明細書で使用する時、繊維性構造製品のプライ全体よりも少ない場所に存在する非言語キューを意味する。個別の非言語キューの非限定的な例としては、エンボス、非圧縮プライの圧縮領域、圧縮プライの非圧縮領域、着色されたプライ結合接着剤、及び繊維性構造製品内の香料が挙げられる。
【００１３】
「使用者」は、本明細書で使用する時、繊維性構造製品の消費者及び／又は購入者、好ましくは購入者を意味する。
【００１４】
「特徴」は、本明細書で使用する時、繊維性構造製品に固有の特質又は特性を意味する。繊維性構造製品の美的特性は、本明細書で定義される特徴ではない。このような特徴の非限定的な例としては、成分の存在、柔軟性、吸収性、洗浄能力及び／又は強度、好ましくは成分の存在及び／又は柔軟性、より好ましくは成分の存在が挙げられる。
【００１５】
「使用者が認識可能な特徴」は、本明細書で使用する時、使用者が認識する及び／又は所望する繊維性構造体の特徴、好ましくは、このような認識可能な特徴を含まない繊維性構造製品の購入を使用者が望まないような、使用者の購入意思決定の根拠となる繊維性構造体の特徴を意味する。
【００１６】
「乾燥状態」は、本明細書で使用する時、繊維性構造体がまだ使用者に使用されておらず、好ましくは、当該繊維性構造体が特に販売場所でその包装内にある状態を意味する。
【００１７】
本明細書で使用する時、「繊維」は、その明らかな幅より非常に大きい明らかな長さを有する、すなわち長さ対直径の比が少なくとも約１０である、細長い微粒子を意味する。より具体的には、本明細書で使用する時、「繊維」は抄紙用繊維を指す。本発明は、多様な抄紙用繊維、例えば天然繊維又は合成繊維、あるいはあらゆるその他の好適な繊維、及びそれらのあらゆる組み合わせなどを使用することを企図する。本発明で有用な抄紙用繊維には、木材パルプ繊維として一般的に既知のセルロース繊維が挙げられる。利用可能な木材パルプとしては、クラフトパルプ、亜硫酸パルプ、及び硫酸塩パルプなどの化学パルプ、並びに例えば、砕木パルプ、サーモメカニカルパルプ、及び化学的に改質したサーモメカニカルパルプなどのメカニカルパルプが挙げられる。しかしながら、化学パルプから作成されたティッシュシートには触知できる優れた柔軟性が付与されることから、化学パルプが好ましいことがある。落葉樹（以下、「広葉樹材」とも呼ばれる）及び針葉樹（以下、「針葉樹材」とも呼ばれる）の両方に由来するパルプを使用してもよい。広葉樹の繊維及び針葉樹の繊維は、混合することができ、あるいは、層状ウェブを提供するために層状に積層することができる。米国特許第４，３００，９８１号及び同第３，９９４，７７１号が、広葉樹及び針葉樹の繊維の層化を開示する目的で、本明細書に参考として組み込まれる。また、上記分類のいずれか又はすべて、並びに元々の抄紙作成を助長するために使用された充填剤及び接着剤などの他の非繊維性材料を含有してもよい、リサイクル紙に由来する繊維も、本発明に利用できる。上記に加えて、ポリマー類、具体的にはヒドロキシルポリマー類から作成される繊維及び／又は長繊維を本発明に使用してもよい。好適なヒドロキシルポリマー類の非限定的な例としては、ポリビニルアルコール、デンプン、デンプン誘導体類、キトサン、キトサン誘導体類、セルロース誘導体類、ゴム類、アラビナン類、ガラクタン類、及びこれらの混合物が挙げられる。
【００１８】
「繊維性構造体」は、本明細書で使用する時、ウェブなどの繊維含有構造体を意味する。
【００１９】
「繊維性構造製品」は、本明細書で使用する時、排尿後及び排泄後の洗浄（トイレットティッシュ）、耳鼻咽喉学的な排出物（フェイシャルティッシュ）並びに多機能吸収及び洗浄用途（吸収性タオル）用の拭き取り器具として有用な繊維性構造体を意味する。
【００２０】
本明細書で使用する時、「プライ」（単数又は複数）は、任意選択的に他のプライと実質的に隣接した向かい合わせの関係に配置されて、多プライの繊維性構造体を形成する、個々の繊維性構造体を意味する。また、単一の繊維性構造体は、例えばそれ自体の上に折り畳まれることにより、効果的に２つの「プライ」又は多「プライ」を形成できると考えられる。
【００２１】
本明細書で使用する時、「坪量」は、ｌｂｓ／３０００ｆｔ2又はｇ／ｍ2で表されるサンプルの単位面積当りの重量である。
【００２２】
坪量は、特定の面積（ｍ2）の１つ又はそれ以上のサンプルを用意し、本発明による繊維性構造体及び／又はそのような繊維性構造体を含む紙製品のサンプルを、０．０１ｇの最小感度を有する上皿天秤で秤量することにより測定される。天秤は、風防を使用することにより、気流及びその他の外乱から保護される。天秤の表示が一定になった時に、重量を記録する。平均重量（ｇ）を算出し、サンプルの平均面積（ｍ2）坪量（ｇ／ｍ2）を、平均重量（ｇ）をサンプルの平均面積（ｍ2）で除算することにより算出する。
【００２３】
（繊維性構造製品）
繊維性構造製品は、繊維性構造体の１枚以上のプライを備える。繊維性構造製品は、個々のシート形状であってもよく、又はロール形状であってもよい。ロール形状の場合、繊維性構造製品は、その上に繊維性構造体の１枚以上のプライが輪状に巻かれている芯を備える。
【００２４】
繊維性構造製品及び／又は当該繊維性構造製品がもたらされるプライを、クレープ加工などにより短縮してもよく、又はクレープ加工を施さないなどのように短縮しなくてもよく、クレープ加工用ドクターブレードを用いて円筒形の乾燥機からクレープ加工してもよく、クレープ加工用ドクターブレードを使わずに円筒形の乾燥機から取り外してもよく、又は円筒形の乾燥機を使わずに製造してもよい。
【００２５】
本発明の繊維性構造製品は、紙、特に、従来のフェルト圧縮ティッシュペーパー、空気通過乾燥ティッシュペーパー、パターン圧縮ティッシュペーパー、及び嵩高な非圧縮ティッシュペーパーを含むがこれらに限定されない衛生ティッシュペーパー製品に有用である。ティッシュペーパーは、均質な構造又は多層構造であってもよく、本発明によるティッシュペーパー製品は、多プライ構造であってもよい。ティッシュペーパーは、好ましくは約１０ｇ／ｍ2〜約１２０ｇ／ｍ2の坪量と、約０．６０ｇ／ｃｃ又はそれ以下の密度を有する。好ましくは、坪量は約３５ｇ／ｍ2未満；密度は約０．３０ｇ／ｃｃ又はそれ以下である。最も好ましくは、本明細書に記載されている「坪量方法」によって計測した時、密度は約０．０４ｇ／ｃｃ〜約０．２０ｇ／ｃｃである。
【００２６】
繊維性構造製品は、単層初期（embryonic）繊維ウェブを作り出す繊維性原料紙料、又は多層初期繊維ウェブを作り出す繊維性原料紙料を使って作成されてもよい。
【００２７】
繊維性構造製品は、プライ結合接着剤などの接着剤を含んでいてもよい。
【００２８】
一実施形態において、接着剤は、個別の非言語キューを備えていてもよい。
【００２９】
図１に示すように、繊維性構造製品１０の実施形態は、ハートで表される個別の非言語キュー１２を備え、このハートの輪郭には、着色されたプライ結合接着剤が含まれる。繊維性構造製品１０は付加的なエンボスを更に備え、これらのエンボスには、着色されたプライ結合接着剤が含まれていても、含まれていなくてもよい。
【００３０】
（個別の非言語キュー）
本発明の繊維性構造製品は個別の非言語キューを備え、この個別の非言語キューは当該繊維性構造製品の特徴を当該繊維性構造製品の使用者に伝達する。好ましくは、個別の非言語キューは、繊維性構造製品のプライと対照をなす。
【００３１】
非言語キューには、視覚的なキュー、嗅覚的なキュー、触感的なキュー及びこれらの混合物が含まれ得る。
【００３２】
視覚的なキューには、構造体、着色剤、テキスト要素、絵要素及びこれらの混合物が含まれ得る。
【００３３】
構造体としての視覚的キューには、繊維性構造製品のエンボス及び／又は圧縮及び非圧縮領域が含まれ得る。
【００３４】
着色剤には、白色でない着色剤が含まれ得る。着色剤としては、染料類、顔料類及び／又は他の色生成剤類が挙げられる。
【００３５】
テキスト要素には、文字、記号及び／又は数字が含まれ得る。
【００３６】
絵要素には、物体、場所、人、動物などが含まれ得る。
【００３７】
嗅覚的なキューには、繊維性構造製品内の香料が含まれ得る。香料は、繊維性構造製品の１枚以上のプライに配合されているか、又は適用されていてもよく、及び／又は繊維性構造体の１枚以上のプライが巻かれている芯に配合されているか、又は適用されていてもよい。「香料」は、本明細書で使用する時、ヒトの嗅覚によって知覚可能な香料を意味する。
【００３８】
触感的なキューは、使用者の触覚によって使用者が知覚可能なキューである。触感的なキューには、エンボス及び繊維性構造体のプライの平面を遮る他の種類の物体が含まれ得る。
【００３９】
当業者は、繊維性構造製品に個別の非言語キューを追加する方法を理解している。
【００４０】
（繊維性構造製品の特徴）
繊維性構造製品の特徴には、繊維性構造体製品に存在する成分が含まれ得る。
【００４１】
好適な成分の非限定的な例としては、湿潤剤類、ローション、ビタミン類、香料類、薬剤類、治療薬類、ウィルス撲滅剤類、防臭剤類、アロマセラピー剤類、柔軟化剤類及びこれらの混合物が挙げられる。
【００４２】
一実施形態において、成分はカモミールを含む。
【００４３】
別の実施形態において、成分はアロエを含む。
【００４４】
更に別の実施形態において、成分はビタミンＥを含む。
【００４５】
更に別の実施形態において、成分は香料を含む。
【００４６】
成分は、繊維性構造製品のいずれかの部分に存在していてもよい。例えば、一実施形態において、成分は、着色されたプライ結合接着剤内などの、繊維性構造製品内の個別の非言語キューに存在していてもよい。あるいは、別の実施形態において、成分は、個別の非言語キューを含まない繊維性構造製品の領域に存在していてもよい。
【００４７】
繊維性構造体の更なる特徴が本明細書に記載されている。
【００４８】
（特徴の伝達）
個別の非言語キューにより、繊維性構造製品が乾燥状態にある時、その特徴が使用者に伝達されることに加えて、当該繊維性構造製品が湿った状態にある時、その特徴が使用者に伝達される。「湿った状態」は、本明細書で使用する時、繊維性構造製品が水などの液体に曝されたことを意味する。
【００４９】
（製品）
本発明は製品を包含してもよく、当該製品は、本発明による繊維性構造製品と、前記繊維性構造製品を収容する外側包装体とを備え、この外側包装体は、当該繊維性構造製品の個別の非言語キューが当該繊維性構造製品の使用者とコミュニケートすことができるようなものである。
【００５０】
外側包装体はそれ自体が、この外側包装体内に収容されている繊維性構造製品の特徴を伝達することができる非言語キューを備えていてもよい。
【００５１】
（方法）
本発明は、更に、使用者を繊維性構造製品に引きつけるための方法を包含し、当該方法は、繊維性構造製品が乾燥状態にある時、繊維性構造製品の特徴が使用者に伝達される個別の非言語キューを備える繊維性構造製品を提供する工程を含む。
【００５２】
一実施形態において、繊維性構造製品は、小売店におけるなどの販売場所で使用者に提供される。
【００５３】
「発明を実施するための最良の形態」で引用したすべての文献は、関連部分において本明細書に参考として組み込まれているが、いずれの文献の引用も、それが本発明に対する先行技術であるとの容認と見なされるべきではない。
【００５４】
本発明の特定の実施形態について説明し記載したが、本発明の精神及び範囲から逸脱することなく、他の様々な変更及び修正を実施できることが、当業者には明白であろう。従って、本発明の範囲内にあるそのような全ての変更及び修正を、添付の特許請求の範囲で扱うものとする。
【図面の簡単な説明】
【００５５】
【図１】本発明による繊維性構造製品の一実施形態の概略図であり、ハートには緑色に着色されたプライ結合接着剤が含まれている。
【図１】
2007511241.tif 000003
【国際調査報告】
2007511241.tif 000004
2007511241.tif 000005